(57)【特許請求の範囲】
【請求項１】
室内のドア２の上部に掛けられる掛けがね１１と連結されて、水平になるように設置され、かつその下部側の外側には、垂直方向に１対のボス１２が一定間隔をおいて形成された固定ブラケット１０と、
前記固定ブラケット１０のボス１２に挿入固定される垂直棒２１と、この垂直棒２１に対して水平方向に設置される水平棒２２と、垂直棒２１と水平棒２２とを連結する連結ブラケット２３とからなり、水平棒２２が連結ブラケット２３の折り畳み部２４で折り畳み可能に構成された連結部材２０と、
前記連結部材２０の水平棒２２に挿入固定されて内部のファンが作動されることによって、下部の送風口３１を介して垂直下方に熱風を伝達し、かつその下面に複数のハンガーを掛けることができるフック３２が設置されて、ハンガーに固定された洗濯物を乾燥できるように構成された乾燥器３０と、
前記乾燥器３０の下端部の内側に固設されて、垂直下部の方向に配置されることによって、その内部に洗濯物を収容し、かつ上部には、洗濯物の収納のためのジッパー４１と、下部には、熱風の排出のための複数の排出ホール４２とがそれぞれ備えられたスカート４０と、を備え、
前記固定ブラケット１０は、その両端部に前記掛けがね１１を締結するための締結部材１３が回動可能に設置され、前記締結部材１３の一側の端部に締結ホール１４ａが形成されたロック１４が折り曲げ形成されて、前記固定ブラケット１０の一側に突出した固定突起１５に前記ロック１４が締結されることによって、前記締結部材１３の内側に挿入された前記掛けがね１１の連結部１１ａを固定できるように構成された
ことを特徴とする洗濯物乾燥用熱風乾燥装置。
【請求項２】
前記連結ブラケット２３の折り畳み部２４は、前記水平棒２２の端部を支持する固定溝２３ａと、この固定溝２３ａに挟まれて固定されるように水平棒２２の端部に形成された複数の結合突起２２ａとから構成されたことを特徴とする請求項１に記載の洗濯物乾燥用熱風乾燥装置。
【請求項３】
前記乾燥器３０は、その下端部の内側に一定間隔をおいて複数の締結突起３６が上方向に折り曲げられた状態で形成され、前記スカート４０は、その上端部に前記締結突起３６と対応する固定リング４３が一定間隔をおいて設置されて、締結突起３６に固定リング４３が挿入されることによって、スカート４０が前記乾燥器３０に設置されることを特徴とする請求項１に記載の洗濯物乾燥用熱風乾燥装置。
【発明の詳細な説明】
【技術分野】
【０００１】
本発明は、洗濯物を乾燥できるように構成された乾燥装置に関し、特に、場所に関わらず手軽に設置されて洗濯物を迅速に乾燥できるように構成された洗濯物乾燥用熱風乾燥装置に関する。
【背景技術】
【０００２】
一般に、折り畳み式洗濯物乾燥台は、広げられた状態で洗濯物を掛け台に干して乾燥させ、使用後には折り畳んで体積を最小化した状態で保管できることから、高層建物のベランダや多用途室などのような限定された空間内で多量の洗濯物を效率的に乾燥させようとする場合に広く利用されている。
【０００３】
ここで、上記の折り畳み式洗濯物乾燥台は、折り畳み部を中心に上部に形成されて洗濯物を干すようになった１対の掛け部と、前記折り畳み部を中心に下部に位置する１対の支え部、及びこの支え部に対して前記掛け部を広げられた状態で支持する支持部から構成される。
【０００４】
すなわち、前記のような従来の折り畳み式洗濯物乾燥台は、必要に応じて折り畳んで保管するか、広げて洗濯物を干すことができるようになったもので、水平方向に広げられた前記掛け部に複数の洗濯物を干して乾燥するようになったものである。
【０００５】
ところが、前記折り畳み式洗濯物乾燥台は、単に洗濯物を干して乾燥する機能の他に特別な機能がないため、多様な機能を望む消費者の欲求を満足させ難く、前記折り畳み式洗濯物乾燥台は、主に室内で使用されるため、洗濯物の早い乾燥がむずかしいという短所があり、特に、曇った日にユーザが早い乾燥を望む場合に、これを満たし難いのが実情である。
【０００６】
また、近来になって、ヒーターなどを利用して洗濯物を早く乾燥する乾燥装置が開発される場合もあるが、このような従来の洗濯乾燥装置は、殆ど高価であるか、又は製品の体積が大きいため、その設置に不便さがあった。
【発明の開示】
【発明が解決しようとする課題】
【０００７】
そこで、本発明は、従来の洗濯物乾燥装置が有する問題点を解決するために提案されたものであって、ドアの上部に簡便に掛けて設置することによって、製品の使用と保管が容易であり、かつ熱風により洗濯物を迅速に乾燥することにより、ユーザにより向上した便宜を与えることができるようにした洗濯物乾燥用熱風乾燥装置を提供することにその目的がある。
【課題を解決するための手段】
【０００８】
上記の目的を達成すべく、本発明は、室内のドアの上部に掛けられる掛けがねと連結されて、水平になるように設置され、かつその下部側の外側には、垂直方向に１対のボスが一定間隔をおいて形成された固定ブラケットと、前記固定ブラケットのボスに挿入固定される垂直棒と、この垂直棒に対して水平方向に設置される水平棒と、垂直棒と水平棒とを連結する連結ブラケットとからなり、水平棒が連結ブラケットの折り畳み部で折り畳み可能に構成された連結部材と、前記連結部材の水平棒に挿入固定されて内部のファンが作動されることによって、下部の送風口を介して垂直下方に熱風を伝達し、かつその下面に複数のハンガーを掛けることができるフックが設置されて、ハンガーに固定された洗濯物を
乾燥できるように構成された乾燥器と、前記乾燥器の下端部の内側に固設されて、垂直下部の方向に配置されることによって、その内部に洗濯物を収容し、かつ上部には、洗濯物の収納のためのジッパーと、下部には、熱風の排出のための複数の排出ホールとがそれぞれ備えられたスカートと、を備えて洗濯物乾燥用熱風乾燥装置を構成する。
【０００９】
また、前記固定ブラケットは、その両端部に前記掛けがねを締結するための締結部材が回動可能に設置され、前記締結部材の一側の端部に締結ホールが形成されたロックが折り曲げ形成されて、前記固定ブラケットの一側に突出した固定突起にロックが締結されることによって、締結部材の内側に挿入された前記掛けがねの連結部を固定できるように構成されたものである。
【００１０】
また、前記連結ブラケットの折り畳み部は、前記水平棒の端部を支持する固定溝と、この固定溝に挟まれて固定されるように水平棒の端部に形成された複数の結合突起とから構成されたものである。
【００１１】
また、前記乾燥器は、その下端部の内側に一定間隔をおいて複数の締結突起が上方向に折り曲げられた状態で形成され、前記スカートは、その上端部に前記締結突起と対応する固定リングが一定間隔をおいて設置されて、締結突起に固定リングが挿入されることによって、スカートが前記乾燥器に設置されるものである。
【発明の効果】
【００１２】
本発明に係る洗濯物乾燥用熱風乾燥装置によれば、洗濯物乾燥装置が場所に関わらずドアなどの上部に手軽に設置されるため、使用上の便利さを与えることができ、洗濯物乾燥装置が組み立て式で構成されて、その設置と解体が簡便なため、装置の使用及び保管が便利で、かつ熱風を利用して洗濯物を乾燥することにより、ユーザに向上した便宜を提供することができる。
【発明を実施するための形態】
【００１３】
本発明と本発明の実施により達成される技術的課題は、以下で説明する本発明の好ましい実施の形態によってより明確になるはずである。以下の実施の形態は、単に本発明を説明するために例示されたものに過ぎず、本発明の範囲を制限するためのものではない。
【００１４】
以下、本発明を添付された例示図面を参照して詳細に説明する。
【００１５】
熱風を供給して洗濯物を早く乾燥させることができるようになった熱風乾燥装置を、図１と図２を参照して説明すると、室内のドアの上部に熱風乾燥装置１が設置されて、下部に熱風を伝達してハンガーにかかった洗濯物を迅速に乾燥できるようになったものであって、前記熱風乾燥装置１は、大きく固定ブラケット１０、連結部材２０、乾燥器３０及び、スカート４０からなる。
【００１６】
すなわち、前記熱風乾燥装置１の固定ブラケット１０は、室内のドア２の上部にかけられた掛けがね１１と連結されて、水平になるように設置されると共に、その下部側の外側には、垂直方向に１対のボス１２が一定間隔をおいて形成されたものであって、前記固定ブラケット１０がドア２の上部に固設されて、前記乾燥器３０がドア２の前方に設置されうるようにするものである。
【００１７】
そして、前記固定ブラケット１０と乾燥器３０とを連結する「略Ｌ字」形状の前記連結部材２０は、固定ブラケット１０のボス１２に挿入固定される垂直棒２１と、この垂直棒２１に対して水平方向に設置される水平棒２２、及び垂直棒２１と水平棒２２とを連結する連結ブラケット２３からなり、かつ水平棒２２が連結ブラケット２３の折り畳み部２４
で折り畳むことができるようになったものであって、前記連結部材２０と乾燥器３０とが直接連結されて、連結部材２０の水平棒２２を介して乾燥器３０を水平になるように支持固定し、前記連結部材２０の連結ブラケット２３は、その折り畳み部２４を介して水平棒２２を折り畳んで保管できるものである。
【００１８】
また、前記連結部材２０の水平棒２２を介して組み立て設置される前記乾燥器３０は、内部のファンが作動されることにより、下部の送風口３１を介して垂直下方に熱風を伝達し、かつその下面に複数のハンガーを掛けることができるフック３２が設置されて、ハンガーに固定された洗濯物を乾燥できるようになったものであって、前記フック３２は、複数のハンガーを掛けることができるように凹凸形をなし、かつ前記乾燥器３０の下部中央を横切って設置されるものである。
【００１９】
また、前記ハンガーに掛けられた洗濯物を覆うことによって、乾燥器３０から発生する熱風が洗濯物に集中できるようにする前記スカート４０は、乾燥器３０の下端部の内側に固設されて、垂直下部の方向に配置されることによって、その内部に洗濯物を収容し、かつ上部には、洗濯物の収納のためのジッパー４１と、下部には、熱風の排出のための複数の排出ホール４２がそれぞれ備えられたもので、前記スカート４０の上部に設けられたジッパー４１を開いてスカート４０の内部に洗濯物を入れ、再度ジッパー４１を閉じた後に前記乾燥器３０を介して洗濯物に熱風を加えれば、洗濯物を通過した熱風は、前記スカート４０の下部に形成された排出ホール４２を介して外部に排出されることである。
【００２０】
したがって、洗濯物を迅速に乾燥するために前記熱風乾燥装置１をドア２に設置する場合、まず熱風乾燥装置１を構成する固定ブラケット１０、連結ブラケット２３及び乾燥器３０を互いに組み立てた後、前記固定ブラケット１０に組み立てられた掛けがね１１を利用して、固定ブラケット１０をドア２に設置し、この状態で前記乾燥器３０にスカート４０を設置してこのスカート４０を開放した後、洗濯物をスカート４０に内蔵し、前記スカート４０を閉じた状態で前記乾燥器３０を動作させて熱風を洗濯に供給することにより、洗濯物を迅速に乾燥することである。
【００２１】
一方、前記熱風乾燥装置１を構成する固定ブラケット１０を図３と図４を参照して説明すれば、前記固定ブラケット１０は、その両端部に前記掛けがね１１を締結するための締結部材１３が回動可能に設置され、前記締結部材１３の一側の端部に締結ホール１４ａの形成されたロック１４が折り曲げ形成されて、前記固定ブラケット１０の一側に突出した固定突起１５にロック１４が締結されることによって、締結部材１３の内側に挿入された前記掛けがね１１の連結部１１ａを固定できるようになったものである。
【００２２】
すなわち、前記固定ブラケット１０は、ドア２にかかって固定される前記掛けがね１１を組み立てるために、その両端部に前記締結部材１３がヒンジにより回動可能に設置され、前記締結部材１３のロック１４と固定ブラケット１０の固定突起１５とが互いに結合又は分離されることによって、固定ブラケット１０が前記掛けがね１１を組み立て又は分離できるため、固定ブラケット１０と掛けがね１１との組み立てにより、前記熱風乾燥装置１をドア２に設置することができる。
【００２３】
そして、前記熱風乾燥装置１を構成する連結ブラケット２３を、図５と図６を参照して説明すれば、前記連結ブラケット２３は、水平棒２２との連結部に折り畳み部２４が形成され、前記折り畳み部２４は、水平棒２２の端部を支持する固定溝２３ａとこの固定溝２３ａに挟まれて固定されるように、水平棒２２の端部に形成された複数の結合突起２２ａで構成されたものであって、前記水平棒２２の端部がヒンジを媒介として前記固定溝２３ａに回動可能に設置されて、必要に応じて水平棒２２を広げて設置するか、又は折り畳んで保管することができ、前記水平棒２２の端部に形成された結合突起２２ａが前記固定溝
２３ａに締まりばめ式で嵌めこまれて固定されることによって、水平棒２２が広げられた状態で固定されるものである。
【００２４】
また、前記熱風乾燥装置１を構成する乾燥器３０は、その前方面にオン／オフ機能を有するタイマー３３が設置され、前記タイマー３３の一側に熱風の強度を調節する調節レバー３４が設置されたもので、前記タイマー３３と調節レバー３４とを介して乾燥器３０を作動させて熱風を発生するようにすることによって、洗濯物を乾燥し、前記乾燥器３０の上部には、換気口３５が形成され、下部には、熱風が送風される送風口３１が形成された構造である。
【００２５】
一方、前記熱風乾燥装置１のスカート４０が乾燥器３０の下端部の内側に組み立てられる状態を、図７を参照して説明すれば、前記乾燥器３０は、その下端部の内側に一定間隔をおいて複数の締結突起３６が上方向に折り曲げられた状態で形成され、前記スカート４０は、その上端部に前記締結突起３６と対応する固定リング４３が一定間隔をおいて設置されて、締結突起３６に固定リング４３が挿入されることによって、スカート４０が前記乾燥器３０に設置されることで、前記固定リング４３を介してスカート４０が乾燥器３０の下端に手軽に設置されるか、又は外されることができ、前記締結突起３６が上方向に折り曲げ形成されることによって、前記固定リング４３との締結力を向上させうるようになったものである。
【００２６】
したがって、上記の構造からなる熱風乾燥装置１の作動状態を、図８を参照して説明すれば、ユーザがハンガーにかかった洗濯物を迅速に乾燥するために、前記熱風乾燥装置１をドア２に設置した後、前記乾燥器３０を動作させるようになれば、乾燥器３０から発生する熱風が乾燥器３０のフック３２にかかった洗濯物に供給されることで、前記スカート４０を介してハンガーにかかった洗濯が外部と遮断された状態で熱風がスカート４０の内部を通るようになって、洗濯物を乾燥するようになったものである。
【００２７】
したがって、ドア２に設置される熱風乾燥装置１を利用して、洗濯物を迅速に乾燥することにより、ユーザにより向上した便宜を提供することができる。
【００２８】
以上、本発明は、図面に示された一実施の形態を参考として説明されたが、本技術分野の通常の知識を有した者であれば、これから多様な変形及び均等な他の実施の形態が可能であるという点を理解できるはずである。
【図面の簡単な説明】
【００２９】
【図１】本発明による洗濯物乾燥用熱風乾燥装置の設置状態を示した斜視図である。
【図２】本発明による洗濯物乾燥用熱風乾燥装置の構成を示した分離斜視図である。
【図３】本発明による固定ブラケットに掛けがねが組み立てられた状態を示した斜視図である。
【図４】本発明による固定ブラケットに掛けがねが締結される状態を示した状態図である。
【図５】本発明による連結部材の水平棒が折り畳まれた状態を示した状態図である。
【図６】本発明による連結部材の連結ブラケットに形成された折り畳み部を示した状態図である。
【図７】本発明による熱風乾燥装置のスカートが乾燥器に組み立てられた状態を示した斜視図である。
【図８】本発明による洗濯物乾燥用熱風乾燥装置の作動状態を示した状態図である。
【符号の説明】
【００３０】
１        熱風乾燥装置
２        ドア
１０      固定ブラケット
１１      掛けがね
１１ａ    連結部
１２      ボス
１３      締結部材
１４      ロック
１４ａ    締結ホール
１５      固定突起
２０      連結部材
２１      垂直棒
２２      水平棒
２２ａ    結合突起
２３      連結ブラケット
２３ａ    固定溝
２４      折り畳み部
３０      乾燥器
３１      送風口
３２      フック
３３      タイマー
３４      調節レバー
３５      換気口
３６      締結突起
４０      スカート
４１      ジッパー
４２      排出ホール
４３      固定リング
【図１】
0004938818.tif 000002
【図２】
0004938818.tif 000003
【図３】
0004938818.tif 000004
【図４】
0004938818.tif 000005
【図５】
0004938818.tif 000006
【図６】
0004938818.tif 000007
【図７】
0004938818.tif 000008
【図８】
0004938818.tif 000009